(57)【要約】      （修正有）【課題】  自動車内での傘収納と水切りが出来る自動車内設置傘収納箱を提供する。【解決手段】  自動車の乗降扉と座席の内の空間を利用して、乗降扉の内壁に傘収納箱を設置固着し、複数本の傘が収納出来る様にする。水切りは自動車の扉と床の間のの隙間へ傘収納箱の底からホースで排水する。【選択図】図９
2005022624.tif 000002
【特許請求の範囲】
【請求項１】
１．  任意の長さと径の円形又は角形の筒の一方を開口．他方を閉塞し底部とする（１）自動車内設置傘収納箱
２．  閉塞した底部に小口径の穴を開け排水口（２）を有する自動車内設置傘収納箱（１）
３．  自動車の乗降用扉の内壁に固着した自動車内設置傘収納箱（１）
４．  排水口（２）の口にホース（３）を差し込み，自動車の乗降扉と車内床との隙間に排水出来る位置にホースを扉に固着し、自然排水の機能を有する自動車内設置傘収納箱（１）
【発明の詳細な説明】
【発明の詳細な説明】
【技術分野】
【０００１】本発明は、雨の日使用した傘を自動車内に持ち込んだ時の傘の水切りと置き場所に関するものである。
【背景技術】
【０００２】  使用した傘を自動車内に持ち込んだ時の置き場所と水切りの問題があり、バケツやビニール袋、防水布でデザインした傘袋や袋の先端を止め具でとめ、車外に持ち出して排水したり  車内の座席に引っ掛けてずいぶん不安定にして邪魔者扱いにしている．
【発明が解決しようとする課題】
【０００３】  不安定で場所取りバケツや袋の雨水の始末を自動車内で解決しようと考えた。
【課題を解決するための手段】
【０００４】  本発明では上記目的を達成するために  自動車の乗降扉と座席シートとの間の空間の利用を考えた。濡れた傘を自動車内で振りまわすことなく、乗車と同時に傘をたたんで乗降扉の内側壁に固着した自動車内設置傘収納箱（１）に濡れたまま水切せず、収納することが出来る自動車内設置傘収納箱を発明提供するものである。
【０００５】  傘の雨水は、自動車内設置傘収納箱の底に具備された排水口（２）とこれに接続された排水ホース（３）で自動車の扉と車内床との隙間に放流出来る位置に固着開放とするため、自動車内設置傘収納箱に留まることなく車外に自然放流となる自動車内設置傘収納箱を発明提供するものである。
【０００６】  複数本の傘を収納水切りが出来る自動車内設置傘収納箱を発明提供するものである。
【発明を実施するための最良の形態】
【０００７】  〔図９〕〔図１０〕の如く右、左の自動車の乗降扉の内壁に取りつけた自動車内設置傘収納箱の実施参考図である。
【発明の効果】
【０００８】  本発明は、上記のとおり構成されているので、次に記載する効果を奏する。
【０００９】  濡れた傘を自動車内に入れるとすぐ閉じて乗降扉の内壁に固着設置されている自動車内設置傘収納箱に差し込むことができて、安定した邪魔にならない場所で収納出来て、排水は車外へ自然流出となるので排水の始末を考えなくてよい。
複数本の傘が収納排水処理出来るので傘の始末に苦慮することなく安全にして車内整理が出来る。常時車に傘を収納して置ける自動車内設置傘収納箱を発明提供するものである。
【図面の簡単な説明】  〔図１〕〔図５〕は自動車進行方向の右図〔図１〕左図〔図５〕の正面図
〔図２〕〔図６〕は上記〔図１〕〔図５〕の平面図
〔図３〕〔図７〕は上記〔図１〕〔図５〕のＡ−Ａ  傘挿入口の矢視図
〔図４〕〔図８〕は上記〔図１〕〔図５〕のＢ−Ｂ底部排水口（２）排水ホース（３）の状態図
〔図９〕〔図１０〕は自動車乗降扉の内壁に取りつけた自動車内設置傘収納箱の実施参考図である。
【符号の説明】
（１）  自動車内設置傘収納箱
（２）  排水口
（３）  排水ホース
（４）  取付ビス穴
（５）  取付台
（６）  取付ビス穴
【図１】
2005022624.tif 000003
【図２】
2005022624.tif 000004
【図３】
2005022624.tif 000005
【図４】
2005022624.tif 000006
【図５】
2005022624.tif 000007
【図６】
2005022624.tif 000008
【図７】
2005022624.tif 000009
【図８】
2005022624.tif 000010
【図９】
2005022624.tif 000011
【図１０】
2005022624.tif 000012
【手続補正書】
【提出日】平成15年11月26日(2003.11.26)
【手続補正１】
【補正対象書類名】明細書
【補正対象項目名】全文
【補正方法】変更
【補正の内容】
【発明の詳細な説明】
【０００１】
【技術分野】本発明は、雨の日使用した傘を自動車内に持ち込んだ時の傘の水切りと置き場所に関するものである。【０００２】
【背景技術】  使用した傘を自動車内に持ち込んだ時の置き場所と水切りの問題があり、バケツやビニール袋、防水布でデザインした傘袋や袋の先端を止め具でとめ、車外に持ち出して排水したり  車内の座席に引っ掛けてずいぶん不安定にして邪魔者扱いにしている。【０００３】
【発明が解決しようとする課題】
不安定で場所取りバケツや袋の雨水の始末を自動車内で解決しようと考えた。
【０００４】
【課題を解決するための手段】
本発明では上記目的を達成するために  自動車の乗降扉と座席シートとの間の空間の利用を考えた。濡れた傘を自動車内で振りまわすことなく、乗車と同時に傘をたたんで乗降扉の内側壁に固着した自動車内設置傘収納箱（１）に濡れたまま水切せず、収納することが出来る自動車内設置傘収納箱を発明提供するものである。
【０００５】  傘の雨水は、自動車内設置傘収納箱の底に具備された排水口（２）とこれに接続された排水ホース（３）で自動車の扉と車内床との隙間に放流出来る位置に固着開放とするため、自動車内設置傘収納箱に留まることなく車外に自然放流となる自動車内設置傘収納箱を発明提供するものである。
【０００６】  複数本の傘を収納水切りが出来る自動車内設置傘収納箱を発明提供するものである。
【０００７】
【発明を実施するための最良の形態】  〔図９〕は右の自動車乗降扉の内壁に取付た自動車内設置傘収納箱の実施参考図である。  〔図１０〕は左の自動車の乗降扉の内壁に取りつけた自動車内設置傘収納箱の実施参考図である。【０００８】
【発明の効果】
本発明は、上記のとおり構成されているので、次に記載する効果を奏する。
【０００９】  濡れた傘を自動車内に入れるとすぐ閉じて乗降扉の内壁に固着設置されている自動車内設置傘収納箱に差し込むことができて、安定した邪魔にならない場所で収納出来て、排水は車外へ自然流出となるので排水の始末を考えなくてよい。複数本の傘が収納排水処理出来るので傘の始末に苦慮することなく安全にして車内整理が出来る。常時車に傘を収納して置ける自動車内設置傘収納箱を発明提供するものである。
【図面の簡単な説明】
【００１０】
【図１】は自動車進行方向の左側取付正面図
【図２】は上記〔図１〕の平面図
【図３】は上記〔図１〕のＡ−Ａ傘挿入口の矢視図
【図４】は上記〔図１〕のＢ−Ｂ底部排水口（２）排水ホース（３）の状態図
【図５】は自動車進行方向の右側取付正面図
【図６】は上記〔図５〕の平面図
【図７】は上記〔図５〕のＡ−Ａ傘挿入口の矢視図
【図８】は上記〔図５〕のＢ−Ｂ底部排水口（２）排水ホース（３）の状態図
【図９】は自動車右乗降扉の内壁に取付た自動車内設置傘収納箱の実施参考図である。
【図１０】は自動車左乗降扉の内壁に取りつけた自動車内設置傘収納箱の実施参考図である。
【符号の説明】
【００１１】  （１）  自動車内設置傘収納箱  （２）  排水口  （３）  排水ホース  （４）  取付ビス穴  （５）  取付台  （６）  取付ビス穴